Podtech/llm-jp-corpus-v4-ja_patent huggingface dataset:
(57)【要約】【課題】  全ての人が使用出来るようにシーソー本体に棒を設け、その一端に握り棒を設けた、握り棒付きシーソーボールを提供する。【解決手段】  シーソー本体（１）のセンターに棒（５）の一端を取り付け、棒（５）のもう一端に握り棒を取り付けた、握り棒付きシーソーボールを特徴とする。【選択図】  図１
2007061586.tif 000002
【特許請求の範囲】
【請求項１】
シーソー本体（１）のセンターに棒（５）の一端を設け、もう一端に握り棒（８）を設けた握り棒付きシーソーボール。
【発明の詳細な説明】
【技術分野】
【０００１】  この発明は、シーソー本体のセンターに棒の一端を設け、もう一端に握り棒を設けた、握り棒付きシーソーボールに関するものである。
【背景技術】
【０００２】  従来、シーソー本体に別のシーソーが設けられてた。
【発明の開示】
【発明が解決しようとする課題】
【０００３】  これは、次のような欠点があった。
従来、シーソー本体に設けられてた別のシーソーの上を、健常者が左右に走り回りバランスを取り、上段から下段へボールを落として行くゲーム機だった為、高齢者・身体障害者には、使用不可能であった。
本発明は、以上のような欠点をなくすためになされたたものである。
【課題を解決するための手段】
【０００４】  シーソー本体（１）のセンターに棒（５）の一端を設け、もう一端に握り棒（８）を設けた。
本発明は、以上の構成よりなる握り棒付きシーソーボールである。
【発明の効果】
【０００５】  握り棒は、シーソー本体と一体になっているので、握り棒を左右に動かす事によりバランスが取れ、ボールを上段から下段へ落として行くことが出来る。
握り棒を左右に動かすだけでバランスを取る事が可能な為、高齢者・身体障害者も使用可能になる。
【発明を実施するための最良の形態】
【０００６】  以下、本発明を実施するための最良の形態について説明する。
シーソー本体（１）のセンターにジョイント（３）をボルト（２）に挿入し、ナット（４）で固定する。ジョイント（３）に棒（５）の一端を挿入し固定する。棒（５）のもう一端からジョイント（６）を挿入後、ジョイント（７）を挿入し固定する。ジョイント（７）に握り棒（８）を挿入し固定する。ジョイント（６）は机等に固定する。
本発明は、以上のような構造でこれを使用するときは、シーソー本体と一体になった握り棒を左右に動かし、シーソーのバランス取りながらボールを、上段から下段へ落として行けば良い。
【図面の簡単な説明】
【０００７】
【図１】  本発明の分解斜視図である。
【図２】  本発明の斜視図である。
【符号の説明】
【０００８】１  シーソー本体
２  ボルト
３  ジョイント
４  ナット
５  棒
６  ジョイント
７  ジョイント
８  握り棒
【図１】
2007061586.tif 000003
【図２】
2007061586.tif 000004
(57)【要約】【課題】立っている時、紐の付いた鞄等を傘の柄の凹部にひっかけて鞄等の重さを軽減する。荷物を持っているとき、荷物を雨傘、日傘に支持する事が出来る方法を提供する。【解決手段】たとえば傘と荷物を持って電車に乗る時など、傘を床に立てるように保持し凹部のある柄にかばん等の荷物をかけることにより、荷物も楽に保持する事が出来る。【選択図】図１
2007061560.tif 000002
【特許請求の範囲】
【請求項１】
荷物を持っているとき、その荷物を雨傘、日傘に支持する事が出来る方法を提供する。たとえば傘と荷物を持って電車に乗る時など、傘を床に立てるように保持し先頭部に凹部のある柄にかばん等の荷物をかけることにより、重い荷物も楽に保持する事ができる傘。
【発明の詳細な説明】
【技術分野】
【０００１】傘を作る分野において制作する。
【背景技術】
【０００２】荷物の重さに耐えうる全体のけんろう性が必要である。
【発明の開示】
【発明が解決しようとする課題】
【０００３】たとえば電車に立って乗っているときにかばん等を楽に保持することが出来る。
【発明を解決するための手段】
【０００４】傘の柄の先端部に左右方向の凹部を設け、かばん等の紐をかける。
【発明の効果】
【０００５】人が立っている時にかばん等の重みを傘にあずけることが出来る。
【発明を実施するための最良の形態】
【０００６】傘の柄の最上部に左右方向の凹部を設ける。
【産業上の利用可能性】
【０００７】荷物の重量の軽減としてその傘を必要とする。
【図面の簡単な説明】
【０００８】
【図１】傘の柄の部分に左右方向に開通している凹部をもうける。
【図２】傘の柄の方向、上から見た図である。左右方向の凹部を設ける。
【図１】
2007061560.tif 000003
【図２】
2007061560.tif 000004
(57)【要約】【課題】シンクと食器洗浄装置との間の空間を有効活用する。【解決手段】シンク１１の下方に食器洗浄装置１２を配設した食器洗浄装置付き流し台であって、シンク１１と食器洗浄装置１２との間の隙間空間Ａに収納装置１３を設け、収納装置１３の収納部１７ａを隙間空間内の格納位置Ｓ１から隙間空間外の取出し位置Ｓ２まで出し入れ自在に移動するようにしたことである。【選択図】図３
2007061555.tif 000002
【特許請求の範囲】
【請求項１】
シンクの下方に食器洗浄装置を配設した食器洗浄装置付き流し台において、該シンクと該食器洗浄装置との間の隙間空間に収納装置を設け、該収納装置の収納部を隙間空間内の格納位置から隙間空間外の取出し位置まで出し入れ自在に移動するようにしたことを特徴とする食器洗浄装置付き流し台。
【発明の詳細な説明】
【技術分野】
【０００１】
本発明は、シンクの下方に食器洗浄装置を配設した食器洗浄装置付き流し台に関する。
【背景技術】
【０００２】
従来、シンクの下方に食器洗浄装置を配設した食器洗浄装置付き流し台が特許文献１に提案されている。この食器洗浄装置付き流し台は、シンクと食器洗浄装置との間に形成された空間の手前側を、目隠し板で覆うようにしている。
【特許文献１】特開２００１−２９２９４７号公報
【発明の開示】
【発明が解決しようとする課題】
【０００３】
しかし、前記食器洗浄装置付き流し台は、シンクと食器洗浄装置との間に形成された空間が有効活用されず、無駄な空間となつていた。
【０００４】
本発明は、上記問題を解決するために、シンクと食器洗浄装置との間の空間を有効活用した食器洗浄装置付き流し台を提供するものである。
【課題を解決するための手段】
【０００５】
シンクと食器洗浄装置との間の空間を有効活用するために請求項１記載の発明が採用した手段は、シンクの下方に食器洗浄装置を配設した食器洗浄装置付き流し台において、該シンクと該食器洗浄装置との間の隙間空間に収納装置を設け、該収納装置の収納部を隙間空間内の格納位置から隙間空間外の取出し位置まで出し入れ自在に移動するようにしたことを特徴とする食器洗浄装置付き流し台である。
【発明の効果】
【０００６】
請求項１に係る食器洗浄装置付き流し台は、シンクと食器洗浄装置との間の空間を収納空間として利用することができる。
【発明を実施するための最良の形態】
【０００７】
本発明に係る食器洗浄装置付き流し台（以下、「本発明流し台」と言う。）を図面に示す実施の形態に基づいて説明する。
【０００８】
図１乃至図４は、本発明流し台の実施の形態を示すものであり、図１は本発明流し台の全体を示す斜視図である。図２は本発明流し台の要部を拡大して示す正面図である。図３は本発明流し台の要部を拡大して示す平面断面図であって、図（Ａ）は収納装置本体部が格納位置Ｓ１にある状態を示し、図（Ｂ）は収納装置本体部が取出し位置Ｓ２にある状態を示す。図４は収納装置本体部を示す斜視図である。
【０００９】
本発明流し台１は、図１及び図２に示す如く、ワークトップ３と、ワークトップ３を支持するキャビネット２と、ワークトップ３に設けたシンク１１と、キヤビネット２内においてシンク１１の下方に拡がる下方空間Ｋ内に配設した食器洗浄装置１２と、シンク１１と食器洗浄装置１２との間の隙間空間Ａに出し入れ自在に配設した収納装置１３とで構成されている。
【００１０】
前記シンク１１と床面Ｆとの間の下方空間Ｋには、シンク１１から下方へ延設した排水装置１４が配置されている。本例では、図２に示す如く、この排水装置１４を、排水路を形成する排水管１５と、排水路の臭気がシンク１１に伝わるのを遮断する排水トラップ１６とで構成している。該排水トラップ１６は前記隙間空間Ａに配設されており、該排水管１５は、図３に示す如く、該下方空間Ｋの手前側を迂回するように奥側に向かって曲がって床面Ｆ又は壁面Ｗに至るように延設されている。
【００１１】
前記収納装置１３は、図３及び図４に示す如く、収納部１７ａを形成した本体部１７と、本体部１７を移動自在に支持するようにキャビネット２との間に設けた支持手段１８とで構成されている。このように構成することで、本体部１７は、隙間空間Ａ内の格納位置Ｓ１（図３（Ａ）参照）と隙間空間Ａより外側（手前側）の取出し位置Ｓ２（同図（Ｂ）参照）との間を出し入れ自在に移動するようになっている。本体部１７は、排水装置１４との干渉を回避するための干渉回避部が形成され、格納位置Ｓ１に格納したときに、排水装置１４と干渉しないようにしてある。本例では、この本体部１７を扇状にして干渉回避部を形成し、本体部１７を支持手段１８で回動自在に支持して、収納装置１３が排水装置１４に干渉しないようになっている。なお、本例における支持手段１８は、キャビネット２側に設けられた軸受凹部（図示せず）に枢支される回動軸１８ａを適用したものであるが、本体部１７を格納位置Ｓ１と取出し位置Ｓ２との間を摺動自在に案内するスライドレール等を適用してもよい。
【００１２】
本発明流し台１には、上記の構成品以外に、シンク１１の手前側を隠すための化粧板１９や、収納装置に隣接する収納装置２０、その他の収納装置２１、加熱調理器２２等が設けてある。これら構成品は、使用者の要望に応じて適宜変更することが可能である。  
【図面の簡単な説明】
【００１３】
【図１】本発明流し台の実施の形態を示すものであり、本発明流し台の全体を示す斜視図である。
【図２】本発明流し台の実施の形態を示すものであり、本発明流し台の要部を拡大して示す正面図である。
【図３】本発明流し台の実施の形態を示すものであり、本発明流し台の要部を拡大して示す平面断面図であって、図（Ａ）は収納装置本体部が格納位置Ｓ１にある状態を示し、図（Ｂ）は収納装置本体部が取出し位置Ｓ２にある状態を示す。
【図４】本発明流し台の実施の形態を示すものであり、収納装置本体部を示す斜視図である。
【符号の説明】
【００１４】
１…本発明流し台  ２…キャビネット  ３…ワークトップ  １１…シンク  １２…食器洗浄装置  １３…収納装置  １４…排水装置  １５…排水管  １６…排水トラップ  １７…本体部  １８…支持手段  １９…化粧板  ２０…収納装置  ２１…加熱調理器  Ｆ…床面  Ｗ…壁面  Ｋ…下方空間  Ａ…隙間空間  Ｓ１…格納位置  Ｓ２…取出し位置
【図１】
2007061555.tif 000003
【図２】
2007061555.tif 000004
【図３】
2007061555.tif 000005
【図４】
2007061555.tif 000006
(57)【要約】【課題】洗髪の時、目や耳にお湯が入るのを防ぎ、後ろ髪も洗いやすくし、幼児や被介護者の不快感、不安感をなくしたシャンプーハットを提供する。【解決手段】本発明は、図１で示すように、切り開いた後頭部側のつば部Bが耳をガードすることで耳にお湯が入るのを防ぐことができる。後頭部側につばの部分がないので、後ろ髪が洗いやすく、又、洗髪時のお湯が後頭部側に流れ落ちるため、顔周りのつばの縁からお湯の垂れ落ちがなく、幼児や被介護者の洗髪時の不快感、不安感が取り除かれるという利点がある。又、耳をガードするつば部は図１のアで示すように、形状保持機能を施したものである。【選択図】図１
2007061318.tif 000002
【特許請求の範囲】
【請求項１】
シャンプーハットの後頭部側のつば部を切り開くことで、後ろの髪も洗いやすく、又、洗髪のお湯が後頭部に流れ落ちることになり、顔周りのつばの縁からお湯が垂れるのを防ぎ、幼児や介護を必要とする方（被介護者）の洗髪時の不快感、不安感を取り除くことが出来るシャンプーハット。
【請求項２】
切り開いたつばの部分が耳をガードし、耳にお湯が入らないことを特徴とする請求項１記載のシャンプーハット。
【発明の詳細な説明】
【技術分野】
【０００１】
本発明は、顔周りのつばの縁からお湯が垂れることがなく、後ろの髪も洗いやすく、また耳にお湯が入るのも防ぎ、幼児や被介護者の洗髪時の不快感、不安感をなくしたシャンプーハットに関するものである。
【背景技術】
【０００２】
従来のシャンプーハットは、頭の周りにぐるりとつばがついているものや、排水パイプのついているものがある。
【０００３】
しかしながら、洗髪時、幼児や被介護者の、顔の周りのつばの縁から垂れるお湯の不快感、不安感を取り除くものではなく、現在それを解決するシャンプーハットはない。
【特許文献１】特開平１０−２４５７０９号公報
【発明の開示】
【発明が解決しようとする課題】
【０００４】
解決しようとする課題は、幼児や被介護者の洗髪時の不快感、不安感を取り除き、後ろの髪も洗いやすく、又耳にお湯が入るのも防ぐことにある。
【課題を解決するための手段】
【０００５】
本発明は、洗髪時、後ろの髪が洗いやすく、洗髪のお湯が後頭部側に流れ落ちるようにするため、後頭部側のつばの部分を切り開くこととする。切り開かれたつばの部分は左右の耳をガードして耳にお湯が入るのを防ぐ機能を有することを特徴とする。
【発明の効果】
【０００６】
本発明は、後頭部側のつばの部分を切り開くことで、後ろの髪が洗いやすく、顔周りのつばの縁からお湯が垂れるのも防げる。切り開いたつばが耳をガードして耳にお湯が入るのを防ぐため、幼児や被介護者の洗髪時の不快感、不安感を取り除くことができる利点がある。
【発明を実施するための最良の形態】
【０００７】
本発明のシャンプーハットは、図１に示されるように後頭部側のつばを切り開き、その切り開いたつば部Bが耳をガードして耳にお湯が入るのを防ぐ機能を持つ。
【実施例１】
【０００８】
図１のシャンプーハットを頭にセットする。つば部Bが耳をガードするように手でフィットさせる。
【図面の簡単な説明】
【０００９】
【図１】シャンプーハットの後頭部側のつばを切り開き、つばで耳をガードした概観図である。
【図２】シャンプーハットを頭に装着した概観図である。（実施例１）
【符号の説明】
【００１０】
Ａ    シャンプーハットのつば
Ｂ    耳をガードするつば部
ア    Bのつば部の形状保持用針金内蔵箇所
【図１】
2007061318.tif 000003
【図２】
2007061318.tif 000004
(57)【要約】      （修正有）【課題】釣具のおもりの収納方法に関するもので、迅速に片手でおもりを交換できる事を可能にしたおもりホルダーの提供。【解決手段】おもりケースの端にピンオンリール１を設け、この紐におもりを狭着する事を特徴としたおもりケース２である。ホルダーより引き出されたおもりは、紐または線材にぶら下がっている状態であるため、おもりを外しやすく持ち替えなくても釣り糸に狭着することが出来る。ケース収納することでおもりが釣り糸に絡んだり邪魔になることがない。【選択図】  図１
2007061040.tif 000002
【特許請求の範囲】
【請求項１】
ケース２の端にピンオンリール１を設け、他端より紐３を引き出してこの紐におもりを狭着せしめることにより、おもりを整列配置させピンオンリールを巻き取ることでホルダー内におもりを収納する事を特徴とするおもりホルダー。
【請求項２】
ピンオンリールの先に金属線材４または板材を取り付け狭着作業を容易にすることを特徴とした請求項１のおもりホルダー。
【請求項３】
ロック機構付のピンオンリールを用いた請求項１または請求項２のおもりホルダー。
【請求項４】
透明もしくは、ケースに隙間があり、おもりを収納した状態でおもりを目視できることを特徴とした、請求項１または請求項２または請求項３のおもりホルダー。
【請求項５】
ケースのおもり引き出し側の縁にスリット６を設け、これにストッパ７を引っ掛けることで紐をロックすることを特徴とする請求項１または請求項２または請求項４のおもりホルダー。
【請求項６】
紐３または、線材４にフック８を設け、これをケース２の縁に引っ掛けて紐をロックすることを特徴とした請求項１または請求項２または請求項４のおもりホルダー。  
【請求項７】
線材４にフック８を設け、これをケースの縁に引っ掛けて紐をロックすることを特徴とした請求項１または請求項２または請求項４のおもりホルダー。
【発明の詳細な説明】
【技術分野】
【０００１】
本発明は、釣具のおもりホルダーにおいて、迅速に片手でおもりの脱着ができる様に工夫したおもりホルダーに関するものである。
【背景技術】
【０００２】
従来釣りのおもりは、ベストのポケットやポーチに収納したり、専用のおもりケースとして市販されている物に収納して魚釣りをしていたが、どれも片手でおもりを取り出し、その手で迅速におもりを着脱することが困難な物であった。
【特許文献１】特願２００１−２１０２２１
【０００３】
おもりには、複数の大きさがあり、魚釣りをしている状況に応じた適正号数があるが、釣り人は何度もおもりを付け替えることにより適正な号数を見極めながら魚釣りをする。この見極めが魚釣りの技術でもあり釣果にもつながる重要な作業となっている。
【発明の開示】
【発明が解決しようとする課題】
【０００４】
従っておもりがホルダーに収納されている状態で号数や数量が確認できる事、またそれを見て迅速に片手で目的のおもりを取り出せる事が重要である。特に水の中に立ち込んで魚釣りをする場合、水の流れに逆らった不安定な状態で利き手の肘で竿をかつぎ、逆の手で釣り糸をつまんだ体勢のままおもりを交換することも多く、片手で迅速に適正な号数のおもりを釣り糸に装着できることがより多くの魚を釣るために重要な要素となる。
【課題を解決するための手段】
【０００５】
本発明は、おもりを透明ホルダーまたは一部が開放されているホルダーの中に収納することと、紐または線材に整列させて狭着することにより、ホルダーに収納した状態でおもりの号数や個数を確認することができる。
【０００６】
ホルダーより引き出されたおもりは、紐または線材にぶら下がっている状態であるため、狭着しているおもりのスリットに爪を掛け取り外しやすい、またそのままの状態でおもりを持ち替えずに釣り糸９に狭着できる。
【０００７】
ホルダーより引き出されたおもりは、手をはなしても引き戻らないことが重要で、本発明ではロック機構のついたピンオンリールを用いたが、ロック機構のないピンオンリールまたはバネ等の弾性体を用いてホルダーの縁に設けた溝６におもりを狭着した紐または線材に設けたストッパー７を掛けて固定しても同様の効果をえられる。
【発明の効果】
【０００８】
したがって、おもりは使用しない時ホルダーに収納されており、紐または線材に固定されているため、釣り人が歩行するときに邪魔になったり、落下して紛失したりしない。また、おもりが露出しないため釣り糸がおもりに絡まることもない。
また紐や線材に整列させて狭着させるため、号数の順に並べるなどでおもり号数による微妙な大きさの違いがすぐに認識でき、適正な号数のおもりを片手で迅速に着脱することができるものである。
【発明を実施するための最良の形態】
【０００９】
透明なケースとロック付ピンオンリールを用いて、紐の先端にステンレスのピアノ線を設けたおもりケース。
【実施例１】
【００１０】
図２は、ロック機構付ピンオンリールを用いたおもりホルダーである。
【実施例２】
【００１１】
図３は、ケースの縁に溝を設け紐のストッパーを引っ掛けてロックするおもりホルダーである。
【実施例３】
【００１２】
図４は、線材に設けたフックをケースの縁に引っ掛けるおもりホルダーである。
【図面の簡単な説明】
【００１３】
【図１】おもりを収納した状態のおもりケース
【図２】ロック付ピンオンリールを用いて錘を引き出した状態を示す。
【図３】ケースの溝にストッパーを引っ掛けている状態を示す。
【図４】線材に固定したフックをケースの縁に引っ掛けている状態を示す。
【図５】おもりを取り外した状態を示す。
【図６】おもりを釣り糸に狭着した状態を示す。
【符号の説明】
【００１４】
１  ピンオンリール
２  ケース
３  紐
４  線材
５  おもり
６  スリット
７  ストッパー
８  フック
９  取り外したおもり
１０  釣り糸
【図１】
2007061040.tif 000003
【図２】
2007061040.tif 000004
【図３】
2007061040.tif 000005
【図４】
2007061040.tif 000006
【図５】
2007061040.tif 000007
【図６】
2007061040.tif 000008
(57)【要約】      （修正有）【課題】入口を両端に設け、天井も高くネズミが安心して入れるようにし、入口のドアをバネを使わずに自重で閉じる簡潔で操作容易とした捕獲器を提供する。【解決手段】トンネル式の細長いカゴの両端の入口に、内側に開き、自重で閉じるドアを枢着する。カゴの中央にシーソーを置き、シーソーの中央に針金の棒を固定して上に伸ばし、カゴの外まで出してその先端の頭を丸くする。両側のドアの下端に取り付けた仕掛け糸の中央に補助糸を設け、補助糸を引き上げて針金棒の頭に仕掛け系を乗せる。仕掛け糸の長さは、この状態で両ドアが水平に開くように定める。シーソーの中央にえさを置き、ネズミがそれを食べようとシーソーに触れた瞬間、シーソーが傾いて仕掛け糸が外れ、両ドアが閉まってネズミを捕獲する。【選択図】図１
2007061076.tif 000002
【特許請求の範囲】
【請求項１】
本製品は従来のネズミ採り方式を変え、シーソー式の捕獲方式を取り入れ、左右に入口を２つ取り付けた。
【発明の詳細な説明】
【考案の詳細な説明】
【技術分野】
【０００１】まず、トンネル式に長細いカゴを作り、両ドアを内側に開くようにします。中央にシーソーを置き、シーソーの中央から上に針金の棒を伸ばし、棒が動かないように固定します。両方のドアに下の部分を糸で上に伸ばした針金の丸くなった頭の所にドアが横平らになるくらいの糸の長さにして、丸い頭の部分におきます。シーソーにネズミが手をかけますと、下に傾き、上に伸びた針金の棒の頭の上に乗せた糸が外れて、左右のドアが同時に閉まります。
【背景技術】
【０００２】従来は入口が一箇所。強いバネの仕掛けです。
【考案が解決しようとする課題】
【課題を解決するための手段】
【０００３】両方に入口をつけ、同時に開き、どちらからでも安心して入れるようにし、シーソーの中央針金棒のところにえさを置き、それを食べようとシーソーに手を乗せた瞬間にシーソーが下に傾き頭の部分に貼った糸が外れ、両ドアが簡単に閉まります。
【発明を実施するための最良の形態】
【０００４】長細いカゴ状態を作り、両入口にドアをつけ、両ドアに長く糸を渡し、中央に引き上げると両ドアが内側に平らに開くようにします。中央では、シーソーをつくり、シーソーから上に頭を丸くした針金の棒を上に伸ばします。
【実施例】
【０００５】片方の入口に筒状の輪をつけ、３ｃｍほどの長さに表に出します。捕護したねずみを１５ｃｍほどの筒の片方を網でふさぎ、入口の筒と合わせてネズミを追い込み、合わせた筒を外し蓋をして処理します。
【図面の簡単な説明】
【０００６】  図１は仕掛ける本体。図２は仕掛けた時の状態。図３は上から見た仕掛けの状態。
図４は、ネズミの処理パイプ。３に４をはめ込んで、ネズミを４に追い込み蓋をして処理をする。補助糸を引きあげて、針金の頭に糸を乗せる。
【図１】
2007061076.tif 000003
【図２】
2007061076.tif 000004
【図３】
2007061076.tif 000005
【図４】
2007061076.tif 000006
【手続補正書】
【提出日】平成17年11月20日(2005.11.20)
【手続補正１】
【補正対象書類名】明細書
【補正対象項目名】０００６
【補正方法】変更
【補正の内容】
【０００６】
【図１】本体を開いたところ
【図２】パイプ取り付け口と弁。
【図３】本体をとじたところとパイプを取り付けたところ。
【図４】えさを置く板。
【図５】スライド式で出口を抑える棒。
【図６】仕掛けをセットしたところ。
(57)【要約】【目的】      人と、ペットとのより良きコミュニケ−ションを計るため簡単で、取り扱いやすいペットの二足歩行の訓練器具を得る。【構成】      人が使う、うば車によく似ているが、床部の前のほうが開き抜けるようになっていてペットの足が地面に付くように構成されている。自然とペットは立つようになり、背もたれのような仕切り板や、ベルト等で立ちやすいようにサポ−トされ、二足歩行の訓練が出来るよう構成されている。【選択図】    図２
2007061079.tif 000002
【特許請求の範囲】
【請求項１】
ペットの二足歩行の訓練を容易にする事を目的とし、うば車の中のペットが立っているときに、自由自在にうば車の底部、即ちペットの後ろ足部付近の底部を開き、ペットの後ろ足が直接地面に触れる事が出来るような構造に造った、ペット専用のうば車
【請求項２】
ペット専用のうば車の中では、ペットが自由ポ−ズになれるスペ−スとペットが立たなくてはならないスペ−スとの２つに自在に、仕切られる構造とした請求項１の、ペット専用のうば車（以下、うば車と称する）
【請求項３】
ペットを立たした状態で二足歩行訓練をさせているときペットが驚かないように、ペットのフット部分以外、即ち、レッグ部分が、うば車の底部のどの部分にも触れないように構成された、請求項１のうば車
【請求項４】
専らペットを立たした状態で二足歩行の訓練をさせる歩行器のみを有するうば車。
【発明の詳細な説明】
【発明の詳細な説明】
【産業上の利用分野】
【０００１】  各種ペット産業の発展に伴い、ペット愛護人口も増大している。本考案は、その産業分野をさらに活性化せしめ、ペット愛好家とペットのコミニュケ−ションを円滑に広めるための、ペット器具に関するものでり、特に二足歩行のトレ−ニング器具に関するものである。
【背景技術】
【０００２】  従来、ペットの訓練、特に犬などに関しては、プロの訓練士が行う事が多く、高度な訓練なら尚更の事であった。しかしながら、そうするためには、経済的負担がともない、よく訓練された犬などを見せつけられると、羨ましく思ったものである。
【発明が解決しようとする課題】
【０００３】  従来の技術で述べたとおり、年々、ペットの訓練希望者は増大しており、訓練済みペットのコンテストも各地でよく行われるようになった。本発明はペットを通じて環境問題を考えた、人と人とのより良いコミニュケ−ションのチャンスを提供しようというものである。
【課題を解決するための手段】
【０００４】  上記目的を達成するために、本発明のうば車はペットに同じ訓練を少しずつ繰り返し、繰り返し行う事でペットの学習能力を助け、無理なく二足歩行の訓練が出来るようになっている。ペットが訓練を嫌がったり、疲れたように見えたら直ぐに、自由なポ−ズで休むことができる構造にもなっている。
【作用】
【０００５】  この様にして、ペットは人間の社会に溶け込み、特に子供のいない家庭にあっては、家族同様、子供同様としてかけがえのない存在となっている。盲導犬や介護犬に見るように、もはや彼等は我々が抱える種々の問題を共有していることから、今後、益々我々人間はペット達とのコミニュケ−ションヲ増大する必要がある。そのためにも、この器具、装置の効果及び作用は絶大である。
【実施例】
【０００６】  実施例について、図１を参照し説明する。１は、うば車本体であり、２は、ペットが横たわる事ができる床部である。３は、ペットの二足歩行訓練時に必要な仕切り板であり、背もたれの役目もする。４は、うば車のハンドルである。５は、二足歩行訓練時のペットをサポ−トするための上ベルトであり、６は、下ベルトである。７は、ペット自体であり、立っている状態を示している。８は、うば車の、持ち手部でありペットの前足がかかる部分である。９は、持ち手部にかかり、触れているペットの前足であり、１０は、ペットの後ろ足である。１１は、うば車の前車輪であり、１２は、うば車の後車輪である。【０００７】  この様な状態で、うば車の中に立たされたペットは、初めは不安定で、驚きを表すが、飼い主やトレ−ナ−が、うば車の前に回り、ペットの前足を優しく掴んで、立たせるような動作訓練をすると、落ち着いて立っている。暫くすると、ペットの重心が、やや前のめりになることから、その力がペットの前足から伝わり、持ち手を押すようになる。すると、うば車は、ペットに押されているかのように、ゆっくり動き出す。動く速度が段々早くなるので、パニックにならないように、うば車のハンドルで調整しながら、二足歩行の訓練を続ければ良い。
【発明の効果】
【０００８】  本発明は、上述のとおり構成されているので、次に記載する効果を奏する。
【０００９】  ペットを訓練させてみようかという気持ちから、人とペットとのコミニュケ−ションが増大する。
【００１０】  ペットを通じて、人と人とのコミュニケ−ションの場が広がり、それなりの経済効果が見込まれる。
【００１１】  本器具、本装置を生産、流通させる事から、ペットの産業界を活性化出来る。
【００１２】  最近、ペットの医療分野えの進出も増え、人々の関心も高まり衛生分野、環境分野に関する産業も活性化しているが、それらを一層強化でき、経済効果を大いに高める事ができる。
【図面の簡単な説明】
【図１】  本発明のうば車の、斜視模式図である。
【図２】  本発明のうば車の、斜視模式図であり、ペットが立っている図である。
【符号の説明】
１．        うば車本体
２．        床部
３．        仕切り板
４．        ハンドル
５．        上ベルト
６．        下ベルト
７．        犬
８．        持ち手
９．        犬の前足
１０．      犬の後ろ足
１１．      前車輪
１２．      後車輪
【図１】
2007061079.tif 000003
【図２】
2007061079.tif 000004
(57)【要約】      （修正有）【課題】梨の側枝の棚付け作業は時間が掛かり、熟練が必要であった。特に枝が太く強いときには、枝を折らないように捻じ曲げる枝術は特定の人に限られていて、作業効率も良くなかった。【解決手段】Ｌ字型の作用部分をもった工具本体の一方の作用部分に、曲げようとする側枝部分に縦に割り込みを入れる、十文字形に刃１を固定し、工具の倍力を利用して、側枝の曲げ部に割り込みと捻じる力を同時に作用させて、簡単容易に枝を曲げて棚付けすることができるものである。【選択図】図１
2007061075.tif 000002
【特許請求の範囲】
【請求項１】
ほぼＬ字型に先端部が曲がったブライヤー又はやっとこからなる工具本体と、その作用部分の少なくとも一方に、枝の曲げようとする部分に食い込むＵ字型または円弧型をした切刃を、作用部分の長さ方向と十文字形に交わるように固定した枝曲げ具。
【請求項２】
切刃の枝に対する食い込み深さは、枝の太さのほぼ１／２〜１／３である請求項１記載の枝曲げ具。
【請求項３】
対をなす作用部分の他方には、切刃の向きに対応した円弧状の枝を抱き込むくぼみ部を設けた請求項１記載の枝曲げ具。
【発明の詳細な説明】
【技術分野】  本発明は、梨、りんご、桃、ぶどう等、果樹の枝を適当な箇所で曲げ、棚に導いて固定する際に用いる枝曲げ具に関するものである。
【背景技術】  これまでこの種の枝曲げとしては挟み型、剪定具の挟み先端部の一方に複数の半円型刃からなる押刃を、他方にＬ字状の枝受け部を設けたものが提案されていた。この枝曲げ具は押刃と枝受け部の間に枝を挟み、押刃で枝の樹皮に傷を入れ同時にひねることで、枝を折ることなく曲げるものであった。
【特許文献】実用新案登録第３１０９７７３号
【発明が解決しようとする課題】
しかし、挟み型剪定具では、握り具の長さが短く挟み先端部への力の伝達、すなわち倍力の程度も２〜３倍程度で、１０ｍｍの細い枝は支障なく曲げることができるが、太さ２０ｍｍ〜３０ｍｍほどの太い枝の水平方向への曲げには、ひねりの力を相当要し、繰り返し枝曲げ作業を行うことは、作業者の肉体的疲労が増すという課題があった。
【課題を解決するための手段】
本発明は、前記の課題を解決する枝曲げ具提供するものであり、先端の作用部分がほぼＬ字型をした工具、例えばウォーターポンププライヤーややっとこのような、工具の本体の対をなす、作用部分の少なくとも一方に、Ｕ字型又は円弧型の刃を十文字形に交わるように固定、たとえば溶接したものである。梨の側枝は、１０ｍｍ〜３０ｍｍぐらいあり、太くなると曲げに相当強い力が必要となり倍力が高く要求される、このため工具の握り部の全長は２５０ｍｍ程度か必要により、それ以上の大きさの物、この工具の作用部分に枝の直径の１／２〜１／３までの深さに、枝が縦に割れるように２０ｍｍ〜３０ｍｍの刃幅で食い込み、捻じりと曲げにたえられるように、幅約５０ｍｍ〜６０ｍｍ程度の刃を、作用部に十文字形に取り付ける。
【発明の効果】
梨の側枝は、細い物は手で十分に棚に倒して固定できるが、太く強い枝を倒し整枝するときは、枝を曲げたい所に刃を縦にあて、工具をしめつけて、刃食い込ませ、枝の一部を縦に割って、曲げ易くし捻じ曲げることができる。枝曲げ終了時は、この工具を腰袋に入るので、持ち歩きにも支障なく作業も素早くできる。
【発明を実施するための最良の形態】  梨の側枝は、棚の上にまっすぐ１ｍ〜２ｍ近くまで伸びる。地上から高さ１．８ｍ程度に、４００ｍｍ〜５００ｍｍの桝目に鉄線が張られた棚が畑一杯にある。その棚に起立側枝を９０°横に倒して、花芽が開く前に棚にほぼ水平となるように紐で固定する作業がある。本発明の枝曲げ具は、この作業を効率よく行う物である。梨の側枝は、色々な太さのものがあるが、実をならせるために利用できる太さは２５ｍｍ程度までなので、太く強い曲げにくい枝になる。その枝を折れたり、切れたりしないように、縦に割り込みを入れて捻じ曲げると、枝を傷めることなく棚に固定することができる。
【実施例】  梨の整枝だけでなく、他の果樹木や庭木用、盆栽木などの整枝にも利用できる。
【産業上の利用可能性】    梨生産農家では栽培面積が増えたため、労力的に省力化が必要となっている、そのための道具として利用される。
【図面の簡単な説明】
【図１】    枝曲げ具
【図２】    梨の樹木と棚、棚に側枝を倒した（点線部）図
【図３】    側枝に枝曲げ具を挟み込んだ図
【図４】    側枝を枝曲げ具で捻じ曲げた図
【符号の説明】
１．      刃
２．      枝曲げ具
３．      棚
４．      側枝
５．      棚に側枝を倒した状態
６．      梨の樹木
【図１】
2007061075.tif 000003
【図２】
2007061075.tif 000004
【図３】
2007061075.tif 000005
【手続補正書】
【提出日】平成17年12月1日(2005.12.1)
【手続補正１】
【補正対象書類名】図面
【補正対象項目名】全図
【補正方法】変更
【補正の内容】
【図１】
2007061075.tif 000006
【図２】
2007061075.tif 000007
【図３】
2007061075.tif 000008
【図４】
2007061075.tif 000009
(57)【要約】      （修正有）【課題】ボタンやホック等の使用がなく、切れ込みのカット部分から切り開くことにより簡単に脱がせることができる犬の使い捨てレインコートを提供する。【解決手段】首から胸３、前足４、後ろ足５、及び尻尾６の各部分に一部筒状を設け、尻尾６を除く他の筒状部に切れ込みのカット７を入れ、装着用のボタンやホック等の取付けを一切りせず、また、尻尾部にも覆いを設けた使い捨てのレインコートである。【選択図】図１
2007061077.tif 000002
【特許請求の範囲】
【請求項１】
首から胸（３）．前足（４）．後ろ足（５）．及び尻尾（６）の各部分に一部筒状を設け、尻尾を除く他の筒状部に切れ込みのカット（７）を入れる、カットの箇所は首から胸部分は上部に、前足．後ろ足部分は下部に入れる、又、装着用のボタンやホック等の取り付けを一切しない、又、尻尾部にも覆いをつけた使い捨ての犬のレインコート。
【発明の詳細な説明】
【技術分野】
【０００１】  この発明は、犬のレインコート装着に必要とされるボタンやホック等一切の留具を取り付けない、又、首から胸．前足．後ろ足及び尻尾の各部分に筒状を設け、首から胸部分の筒状の上部と、前足．後ろ足部分の筒状の下部にそれぞれ切れ込みのカットを入れた使い捨ての犬のレインコートに関するものである。
【背景技術】
【０００２】  従来の犬のレインコートは、雨天使用後はレインコートの表面が濡れ、脱がせる時生地と生地がくっつき、又、装着にはボタンやホック等で固定するのでそれを外す等煩雑である、更に、乾くまで時間がかかりその間使用が困難である、又、尻尾部に覆いがないので尻尾の濡れを防げない。
【発明の開示】
【発明が解決しようとする課題】
【０００３】  レインコートを脱がせるのに雨で濡れている上、ボタンやホック等が中々外れない、この間犬が動いたり身振いなどをすると水滴や泥が飛び周囲や犬も人も汚れる、又、尻尾部に覆いが無いので散歩中尻尾が濡れてしまう。
又、雨が降り続くとレインコートが乾かないので装着できない。
本発明は、以上のような欠点をなくすためになされたものである。
【課題を解決するための手段】
【０００４】  犬のレインコートは首から胸．前足．後ろ足及び尻尾にあたる部分に一部筒状を設け、足等それぞれを各筒状の中へ入れる事によってそれぞれが引っ張り合い装着が可能となる、この為ボタンやホック等を必要としない、又、各筒状の、首から胸部分は上部に、前足．後ろ足部分は下部に切れ込みのカットを入れ、脱がせる時そこから切り開いて脱がせる、又、レインコートは防水性のある材質を使い、使い捨てとする。
【発明の効果】
【０００５】本発明はこのような構成なので、ボタンやホック等の使用がなく、切れ込みのカット部分から切り開く事により簡単に脱がせる事が出来る、この為脱着が容易である、又、尻尾部分にも覆いをつけ尻尾の濡れも防ぐ事が出来る。
又、使い捨てなので衛生的でもある。
【発明を実施するための最良の形態】
【０００６】  以下、本案の実施の形態について説明する。
（イ）首から胸．前足．後ろ足．及び尻尾の部分を一部筒状にする。
（ロ）尻尾を除く各筒状部分に切れ込みのカットを入れる。
【図面の簡単な説明】
【０００７】
【図１】本発明を下方から見た斜視図である。
【図２】本発明の正面図である。
【図３】本発明を装着した状態の左側面図である。
【図４】本発明の前足と後ろ足部分の筒状部の斜視図である。
【符号の説明】
【０００８】１  レインコート本体
２  頭部
３  一部筒状にした首から胸部
４  一部筒状にした前足部
５  一部筒状にした後ろ足部
６  一部筒状にした尻尾部
７  切れ込みのカット部
【図１】
2007061077.tif 000003
【図２】
2007061077.tif 000004
【図３】
2007061077.tif 000005
【図４】
2007061077.tif 000006
(57)【要約】【課題】  爪部を芯材側へ折曲げる際に、アルミ加飾材の端末における爪部の側部に、角（ツノ）などと呼ばれる折曲皺が発生するのを防止し得るようにする。【解決手段】  芯材１の表面にアルミ加飾材２を当接し、アルミ加飾材２の端末に形成された爪部３を芯材１側へ折曲げてアルミ加飾材２を芯材１に係止させるアルミ加飾部品の加工方法であって、爪部３を半折状態にし、半折状態の爪部３の基部１２を減肉した後に、爪部３を全折状態にするようにしている。【選択図】        図２
2007098458.tif 000002
【特許請求の範囲】
【請求項１】
芯材の表面にアルミ加飾材を当接し、アルミ加飾材の端末に形成された爪部を芯材側へ折曲げてアルミ加飾材を芯材に係止させるアルミ加飾部品の加工方法において、
前記爪部を半折状態にし、半折状態の爪部の基部を減肉した後に、前記爪部を全折状態にすることを特徴とするアルミ加飾部品の加工方法。
【発明の詳細な説明】
【技術分野】
【０００１】
この発明は、アルミ加飾部品の加工方法に関するものである。
【背景技術】
【０００２】
自動車などの車両には、車室内などに加飾部品が設けられているものが存在する（例えば、特許文献１参照）。このような加飾部品の中には、図３に示すような、アルミ加飾部品がある。
【０００３】
このアルミ加飾部品は、芯材１の表面にアルミ加飾材２を当接し、このアルミ加飾材２の端末に形成された爪部３を芯材１側へ折曲げてアルミ加飾材２を芯材１に係止させることによって加工されている（いわゆるアルミ巻き込み工法）。
【０００４】
なお、加飾とは、装飾効果を高めるために部品に施される表面加工であり、アルミ加飾は、金属調加飾の代表的なものである。
【特許文献１】特開平４−１２４５５１号公報
【発明の開示】
【発明が解決しようとする課題】
【０００５】
しかしながら、上記アルミ加飾部品の加工方法では、爪部３を芯材１側へ折曲げる際に、図４に示すように、アルミ加飾材２の端末における爪部３の側部に、角（ツノ）などと呼ばれる折曲皺４が発生するという問題があった。
【課題を解決するための手段】
【０００６】
上記課題を解決するために、請求項１に記載された発明では、芯材の表面にアルミ加飾材を当接し、アルミ加飾材の端末に形成された爪部を芯材側へ折曲げてアルミ加飾材を芯材に係止させるアルミ加飾部品の加工方法において、前記爪部を半折状態にし、半折状態の爪部の基部を減肉した後に、前記爪部を全折状態にするアルミ加飾部品の加工方法を特徴としている。
【発明の効果】
【０００７】
請求項１の発明によれば、爪部を半折状態にし、半折状態の爪部の基部を減肉して薄肉にした後で、爪部を全折状態にすることにより、爪部を芯材側へ折曲げる際に、アルミ加飾材の端末における爪部の側部に、角（ツノ）などと呼ばれる折曲皺が発生するのを防止し、或いは、折曲皺を目立たなくすることができる。
【発明を実施するための最良の形態】
【０００８】
爪部を芯材側へ折曲げる際に、アルミ加飾材の端末における爪部の側部に、角（ツノ）などと呼ばれる折曲皺が発生するのを防止し得るようにするという目的を、爪部を半折状態にし、半折状態の爪部の基部を減肉した後に、爪部を全折状態にする、という手段で実現した。
【実施例】
【０００９】
以下、本発明を具体化した実施例について、図示例と共に説明する。
【００１０】
図１、図２は、この発明の実施例を示すものである。なお、アルミ加飾部品の構成については、基本的に図３のものとほぼ同様なので、必要に応じて図３を参照する。
【００１１】
まず、自動車などの車両の車室内などに用いられるアルミ加飾部品を以下のように製造する。
【００１２】
このアルミ加飾部品は、図３に示すように、芯材１の表面にアルミ加飾材２を当接し、このアルミ加飾材２の端末に形成された爪部３を芯材１側へ折曲げてアルミ加飾材２を芯材１に係止させるようにして加工したものである（いわゆるアルミ巻き込み工法）。
【００１３】
なお、加飾とは、装飾効果を高めるために部品に施される表面加工であり、アルミ加飾は、金属調加飾の代表的なものである。
【００１４】
この実施例では、アルミ板をプレス加工してアルミ加飾材２にする際に、予め、図２に示すように、爪部３を半折状態にしておく（半折爪部１１）。なお、半折爪部１１の折曲角度は、プレス加工によって折曲可能な角度で、且つ、折曲状態で芯材１を取付可能な角度を限度とする。
【００１５】
次に、この半折爪部１１の基部１２を研磨や切削などによって減肉する（減肉部１３）。この際、アルミ加飾材２の端末に対し、減肉部１３と連続する減肉部１４を形成するようにしても良い。なお、減肉部１３の減肉の程度は、アルミ加飾材２の板厚や、端末の形状や、爪部３の折曲角度などの各種要因を考慮して最適に設定する。
【００１６】
その後、アルミ加飾材２に対し、順に、アルマイト処理、クリア塗装、焼き付け、芯材１の取付け、熱圧着、などの各工程を実施し、最後に、爪部３を全折状態にする（全折爪部１５）。なお、減肉部１３の加工は、アルマイト処理の前に行う必要がある。
【００１７】
このように、この実施例によれば、爪部３を半折状態にし、半折爪部１１の基部１２を減肉して薄肉にした後で、半折爪部１１を全折状態にすることにより、半折爪部１１を芯材１側へ折曲げる際に、アルミ加飾材２の端末における全折爪部１５の側部に、角（ツノ）などと呼ばれる折曲皺が発生するのを防止し、或いは、折曲皺を目立たなくすることができる。
【００１８】
特に、アルミ加飾材２の端末に、減肉部１３と連続する減肉部１４を形成することにより、減肉部１３を目立たなくすることができ、アルミ加飾材２の端末をすっきりした状態に仕上げることが可能となる。
【００１９】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、複数の実施例や変形例が示されている場合には、これらの可能な組合せが含まれることは勿論である。
【図面の簡単な説明】
【００２０】
【図１】本発明の実施例にかかるアルミ加飾部品の加工方法の部分拡大斜視図である。
【図２】図１の加工工程を示す側方断面図である。
【図３】アルミ加飾部品の斜視図である。
【図４】図３の爪部の部分拡大斜視図である。
【符号の説明】
【００２１】
１    芯材
２    アルミ加飾材
３０  爪部
１１  半折爪部
１２  基部
１３  減肉部
１５  全折爪部
【図１】
2007098458.tif 000003
【図２】
2007098458.tif 000004
【図３】
2007098458.tif 000005
【図４】
2007098458.tif 000006
(57)【要約】      （修正有）【課題】気品ある豪華な絵画の作成方法を提供する。【解決手段】絵画の上にラメをのせる。これにより、絵画がキラキラと引き立ち華麗さと気品とが備わる。【選択図】なし【特許請求の範囲】
【請求項１】
絵画を描く時キラキラのラメを使い絵画に気品と華麗さを加える。
【発明の詳細な説明】
【発明の詳細な説明】
【０００１】絵画を描く時ラメを使用すると豪華になる。作品の例を同封
【発明の詳細な説明】
絵画は幼児や学校の授業で子供の感性を研く為必要である。
絵画は得意、不得意で差がでます。どんな作品でも、このラメを使うととても絵が引き立ち満足感を得る自分だけのオリジナルの作品を残せます。私はナースで趣味で花の絵を描きこの方法を考案しました。病院に展示され、患者様にとても喜れ、いずれ講談社から、本の挿し絵や表紙、カレンダーなどでデビューします。
得た収益を世界中の恵まれない人々や、医療技術援助に使いたいです。
［図面］同封の絵
(57)【要約】【目的】  主に、習字や絵画の筆を洗浄する場合において容器上部より水流を加えながら汚れた液体を飛散させることなく排出させるための為の洗浄器を提供する。【構成】筒状の容器（１）の途中に洗浄用の突起物（２）を設けその下側に液体を排出させるための穴（３）を設けさらに柔軟なホース（４）をもった構造の洗浄器。【選択図】    図１
2007098923.tif 000002
【特許請求の範囲】
【請求項１】
筒状の容器（１）の途中に洗浄用の突起物（２）を設けその下側に液体を排出させるための穴（３）を設け、それと接続するに柔軟なホース（４）を併せた洗浄器である。
【発明の詳細な説明】
【発明の詳細な説明】
【技術分野】
【０００１】この発明は、主に、習字や絵画の筆を洗浄する場合において容器上部より水流を加えながら汚れた液体を飛散させることなく排出させるための為の洗浄器に関するものである。
【背景技術】
【０００２】従来より、習字や絵画の筆を洗浄する場合においては水の入った容器に筆先を入れかき回して洗浄していた、また容器を使わずに水流だけで洗浄する場合は流し場などに汚水が飛散していた。また筆についた細かい汚れを確実に洗浄しなかった場合残留物が筆に対し影響を及ぼしていた。
【発明が解決しようとする課題】
【０００３】イ  従来より、習字や絵画の筆を洗浄する場合においては水の入った容器に筆先を入れかき回して洗浄していた、この場合最初に入れた水が汚れて透明でなくなるとそれ以上汚れが残っているか否か判断できなかった。
ロ．容器を使わずに水流だけで洗浄する場合は流し場などに汚水が飛散していた。
ハ．水流を加えながら容器内で洗浄する場合は汚水は容器上部から溢れ出て結果的にその後処理が面倒であった。
ニ．容器の底に筆の根元を押し当てて洗っても束ねられた毛の奥に残る残留物を洗浄することは極めて困難であった。
本発明は、以上の欠点を解決するためになされたものである。
【課題を解決するための手段】
【０００４】筒状の容器（１）の途中に洗浄用の突起物（２）を設けその下側に液体を排出させるための穴（３）を設けさらに柔軟なホース（４）をもった構造の洗浄器。
【発明を実施するための最良の形態】
【０００５】本発明を使用するときは、筒状の容器（１）の上部より水流を加え、洗浄用の突起物（２）に筆（５）を押し当てた後離す動作をくり返す。また柔軟なホース（４）先端を流しや水洗場の排水口へ直接差し込むことにより汚水を飛散させることなく筆を洗浄できる。上部よりきれいな水が筆（５）の汚れを落とし、その後発生する汚水は液体を排出させるための穴（３）を通り排出されるので筒状の容器（１）の上端から溢れることはない。
【実施例】
【０００６】以下、本発明の実施例をのべる。
（イ）  筒状の容器（１）の途中に洗浄用の突起物（２）を設けその下側に液体を排出させるための穴（３）を開け、さらにこの穴に柔軟なホース（４）を接続させる。
（ロ）  柔軟なホース（４）の先端に止め栓（６）を付けることで。液体を貯えることのできる容器として使用することが可能。
本発明は、以上の構成よりなっている。
本発明を使用するときは、主に、習字や絵画の筆を洗浄する場合において次のようにして、汚水を処理しながら筆の洗浄が完結したことを知ることができる。
柔軟なホース（４）先端を流しや水場における排水口へ差し込む。筒状の容器（１）の上部より水流を加え、洗浄用の突起物（２）に筆（５）を押し当てた後再び離す動作をくり返す。これにより束ねられた毛の中心部に残りがちな残留物をほぼ完全なまでに水洗される。上部よりきれいな水が筆（５）の汚れを落とし汚水は液体を排出させるための穴（３）を通り出て行くので筒状の容器（１）内はいつも水流があり、この部分の透明度を見て終了の頃合が認識できる。しかも水は上から入り下から抜けて行くので筒状の容器（１）の上端から溢れることはない。
第１４図に示される第二実施例では筒状の容器（１）の一部に最適水量示すマークを付けこれにより、入りと出の水量のバランスが判るだけだけでなく、このマーク以上で使用した場合は新たなる汚水の飛散が発生することの警告にもなる。
第１５図に示される第三実施例では筒状の容器（１）の形状を四角柱状としその側面の一部にへこみや出っ張り部分等をつけることで、容器外部が濡れて滑りやすくなった時の落下防めの役割をさせる。
第１６図〜１８図に示される第四実施例では洗浄用の突起物（２）の形状の底面を隙間を持つ二重底とすることで、上部より入ってくる水をなるべく長時間容器内に留まらすことができる。
【発明の効果】
【０００７】本発明を使用することによって主に、習字や絵画の筆を洗浄する場合において、容器上部より流水を加え容器下部からホースを伝わり流し場の排水口へ直接導引できるの洗い場を汚すことなく、また筆根元付近を洗浄用突起物に押し当てる事で、束ねられた毛の奥の汚れを効果的に除去できる。そして容器内に残る水の色から筆の洗浄が終了したことを確認することができる。
【図面の簡単な説明】
【０００８】
【図１】本発明の斜視図
【図２】本発明の分解斜視図
【図３】本発明使用時の正面図
【図４】本発明使用時の平面図
【図５】本発明使用時の下面図
【図６】本発明使用時の右側面図
【図７】本発明使用時のＡ−Ａ線断面図
【図８】洗浄用の突起物（２）の斜視図
【図９】洗浄用の突起物（２）の正面図
【図１０】洗浄用の突起物（２）の平面図
【図１１】洗浄用の突起物（２）の下面図
【図１２】洗浄用の突起物（２）の右側面図
【図１３】本発明使用時の様子を示す参考図
【図１４】第二実施例
【図１５】第三実施例
【図１６】第四実施例の斜視図
【図１７】第四実施例の平面図
【図１８】第四実施例の右側面図
【符号の説明】
【０００９】１．筒状の容器
２．洗浄用の突起物
３．液体を排出させるための穴
４．柔軟なホース
５．筆
６．止め栓
【図１】
2007098923.tif 000003
【図２】
2007098923.tif 000004
【図３】
2007098923.tif 000005
【図４】
2007098923.tif 000006
【図５】
2007098923.tif 000007
【図６】
2007098923.tif 000008
【図７】
2007098923.tif 000009
【図８】
2007098923.tif 000010
【図９】
2007098923.tif 000011
【図１０】
2007098923.tif 000012
【図１１】
2007098923.tif 000013
【図１２】
2007098923.tif 000014
【図１３】
2007098923.tif 000015
【図１４】
2007098923.tif 000016
【図１５】
2007098923.tif 000017
【図１６】
2007098923.tif 000018
【図１７】
2007098923.tif 000019
【図１８】
2007098923.tif 000020